(57)【要約】【課題】  電源ケーブルの接触不良や断線による電源供給の遮断や電源コネクタの逆差しの際にディスクドライブ装置を破損させることなく動作可能とするディスクドライブ装置の電源接続回路の提供の提供。【解決手段】低電圧電源入力端子１５と低電圧で動作する低電圧回路ブロック７とを接続する低電圧電源供給ライン１８と、高電圧電源入力端子１４と上記低電圧回路ブロック７よりも高い高電圧で動作する高電圧回路ブロック２とを接続する高電圧電源供給ライン１７とを有するディスクドライブ装置の電源接続回路において、上記低電圧電源入力端子１５への電源供給が断たれたときに、上記高電圧電源入力端子１４に供給される高電圧の電源電圧を第１の分圧回路２３で低電圧に降圧して低電圧回路ブロック７へ供給する電源経路切替手段を備えたディスクドライブ装置の電源接続回路。【選択図】  図１
2007234197.tif 000002
【特許請求の範囲】
【請求項１】
低電圧電源入力端子と低電圧で動作する低電圧回路ブロックとを接続する低電圧電源供給ラインと、高電圧電源入力端子と上記低電圧回路ブロックよりも高い高電圧で動作する高電圧回路ブロックとを接続する高電圧電源供給ラインとを有するディスクドライブ装置の電源接続回路において、
上記低電圧電源入力端子への電源供給が断たれたときに、上記高電圧電源入力端子に供給される高電圧の電源電圧を第１の分圧回路で低電圧に降圧して低電圧回路ブロックへ供給する電源経路切替手段を備えたことを特徴とするディスクドライブ装置の電源接続回路。
【請求項２】
上記電源供給経路切替手段が、上記高電圧電源入力端子への電源供給が絶たれたときに、上記低電圧電源入力端子から上記２つの回路ブロックに低電圧の電源電圧を供給することを特徴とする請求項１記載のディスクドライブ装置の電源接続回路。
【請求項３】
上記電源供給経路切替手段が、上記２系統の入力端子にそれぞれ供給されるべき高低の電源電圧が入れ替わって供給されたときに、低電圧電源入力端子に供給された高電圧の電源電圧を遮断し、高電圧電源入力端子に供給された低電圧の電源電圧を上記２つの回路ブロックに供給することを特徴とする請求項１または２記載のディスクドライブ装置の電源接続回路。
【請求項４】
上記電源供給経路切替手段が、＜ａ＞上記高電圧電源入力端子に供給される電圧の高低に応じて、上記低電圧電源入力端子から上記低電圧回路ブロックへの電源供給を断続する第１のスイッチング素子と、＜ｂ＞上記高電圧電源入力端子から供給され降圧した電源電圧の上記低電圧回路ブロックへの供給を、上記低電圧電源入力端子に供給される電圧の高低に応じて断続する第２のスイッチング素子と、＜ｃ＞上記高電圧電源入力端子に供給される電圧の高低に応じて、上記低電圧電源入力端子から供給される電源電圧の上記高電圧回路ブロックへの供給を断続する第３のスイッチング素子と、＜ｄ＞上記低電圧電源入力端子に供給される電圧の高低に応じて、上記高電圧電源入力端子から供給される電源電圧の上記低電圧回路ブロックへの供給を断続する第４のスイッチング素子とからなることを特徴とする請求項１，２または３記載のディスクドライブ装置の電源接続回路。
【請求項５】
＜ｅ＞上記第２のスイッチング素子が、上記低電圧電源入力端子に供給される電源電圧を第２の分圧回路により降圧して生成される制御信号により制御され、＜ｆ＞上記第１のスイッチング素子および上記第３のスイッチング素子が、上記高電圧電源入力端子に供給される電源電圧を第３の分圧回路により降圧して生成される制御信号により制御され、＜ｇ＞上記第４のスイッチング素子が、上記低電圧電源入力端子に供給される電源電圧を第４の分圧回路により降圧して生成される制御信号により制御されることを特徴とする請求項４記載のディスクドライブ装置の電源接続回路。
【発明の詳細な説明】
【技術分野】
【０００１】
本発明は、光ディスクドライブ装置等内において駆動電圧を異にする２つの回路ブロックへ２系統の電源をそれぞれ供給するとともに、その供給電圧を監視し電源コネクタの逆差しや一方の供給電源異常の際に電源供給経路を切り換えることのできるディスクドライブ装置の電源接続回路に関する。
【背景技術】
【０００２】
従来、電子機器への電池の逆差しを検知する電池逆差し検知回路（特許文献１）や、電池逆差しの場合に当該電池に接続される装置との間の電力供給路を正常化する電力供給路切り替え装置（特許文献２）等が知られている。
【０００３】
また、ディスク記憶装置に関しては異常な電源電圧が供給された場合に、電力負荷を軽減させる制御やライト動作を禁止する制御を行うようにしたもの（特許文献３）が知られている。
【特許文献１】特開２００１−２１８３７３
【特許文献２】特開２００４−２０１３６７
【特許文献３】特開２００１−２６６４６５
【発明の開示】
【発明が解決しようとする課題】
【０００４】
しかし、５Ｖと１２Ｖの２系統の電源供給を受け、５Ｖの電源によりマイコン，ＤＳＰ，メモリＩＣを動作させ、１２Ｖの電源によりモータドライバＩＣ等動作させる光ディスクドライブのような装置では、第１に、その２系統の電源供給のいずれかが接触不良や断線で断たれると、正常に動作をしなくなってしまうという問題がある。
【０００５】
また、第２に、５Ｖ／１２Ｖの２系統をもつ４ピン電源コネクタは、ユーザーにより誤って逆方向にして差込口に差し込まれてしまうことがあるが、この場合、５Ｖ系統の回路ブロックに絶対定格を越える過大な１２Ｖの電圧が印加されることとなり、該光ディスクドライブ装置の破損に至ってしまうという問題がある。
【０００６】
そこで本発明は、電源ケーブルの接触不良や断線による電源供給の遮断や電源コネクタの逆差しの際にディスクドライブ装置を破損させることなく動作可能とし、該装置の信頼性と保守性を向上するディスクドライブ装置の電源接続回路の提供を課題とする。
【課題を解決するための手段】
【０００７】
請求項１記載の本発明は、低電圧電源入力端子１５と低電圧で動作する低電圧回路ブロック７とを接続する低電圧電源供給ライン１８と、高電圧電源入力端子１４と上記低電圧回路ブロック７よりも高い高電圧で動作する高電圧回路ブロック２とを接続する高電圧電源供給ライン１７とを有するディスクドライブ装置の電源接続回路において、上記低電圧電源入力端子１５への電源供給が断たれたときに、上記高電圧電源入力端子１４に供給される高電圧の電源電圧を第１の分圧回路２３で低電圧に降圧して低電圧回路ブロック７へ供給する電源経路切替手段を備えたディスクドライブ装置の電源接続回路である。
【０００８】
請求項２記載の本発明は、上記電源供給経路切替手段が、上記高電圧電源入力端子１４への電源供給が絶たれたときに、上記低電圧電源入力端子１５から上記２つの回路ブロック２，７に低電圧の電源電圧を供給する請求項１記載のディスクドライブ装置の電源接続回路である。
【０００９】
請求項３記載の本発明は、上記電源供給経路切替手段が、上記２系統の入力端子１４，１５にそれぞれ供給されるべき高低の電源電圧が入れ替わって供給されたときに、低電圧電源入力端子１５に供給された高電圧の電源電圧を遮断し、高電圧電源入力端子１４に供給された低電圧の電源電圧を上記２つの回路ブロック２，７に供給する請求項１または２記載のディスクドライブ装置の電源接続回路である。
【００１０】
請求項４記載の本発明は、上記電源供給経路切替手段が、＜ａ＞上記高電圧電源入力端子１４に供給される電圧の高低に応じて、上記低電圧電源入力端子１５から上記低電圧回路ブロック７への電源供給を断続する第１のスイッチング素子１９と、＜ｂ＞上記高電圧電源入力端子１４から供給され降圧した電源電圧の上記低電圧回路ブロック７への供給を、上記低電圧電源入力端子１５に供給される電圧の高低に応じて断続する第２のスイッチング素子２０と、＜ｃ＞上記高電圧電源入力端子１４に供給される電圧の高低に応じて、上記低電圧電源入力端子１５から供給される電源電圧の上記高電圧回路ブロック２および低電圧回路ブロック７への供給を断続する第３のスイッチング素子２１と、＜ｄ＞上記低電圧電源入力端子１５に供給される電圧の高低に応じて、上記高電圧電源入力端子１４から供給される電源電圧の上記低電圧回路ブロック７への供給を断続する第４のスイッチング素子２２とからなる請求項１，２または３記載のディスクドライブ装置の電源接続回路である。
【００１１】
請求項５記載の本発明は、＜ｅ＞上記第２のスイッチング素子２０が、上記低電圧電源入力端子１５に供給される電源電圧を第２の分圧回路２４により降圧して生成される制御信号により制御され、＜ｆ＞上記第１のスイッチング素子１９および上記第３のスイッチング素子２１が、上記高電圧電源入力端子１４に供給される電源電圧を第３の分圧回路２５により降圧して生成される制御信号により制御され、＜ｇ＞上記第４のスイッチング素子２２が、上記低電圧電源入力端子１５に供給される電源電圧を第４の分圧回路２６により降圧して生成される制御信号により制御される請求項４記載のディスクドライブ装置の電源接続回路である。
【発明の効果】
【００１２】
本発明によれば、電源ケーブルの接触不良や断線による電源供給の遮断のみならず電源コネクタの逆差しの際にもディスクドライブ装置を破損させることなく動作させることが可能となる。
【発明を実施するための最良の形態】
【００１３】
低電圧電源入力端子１５と低電圧で動作する低電圧回路ブロック７とを接続する低電圧電源供給ライン１８と、高電圧電源入力端子１４と上記低電圧回路ブロック７よりも高い高電圧で動作する高電圧回路ブロック２とを接続する高電圧電源供給ライン１７とを有するディスクドライブ装置の電源接続回路において、上記低電圧電源入力端子１５への電源供給が断たれたときに、上記高電圧電源入力端子１４に供給される高電圧の電源電圧を第１の分圧回路２３で低電圧に降圧して低電圧回路ブロック７へ供給する電源経路切替手段を備えたディスクドライブ装置の電源接続回路。
【実施例】
【００１４】
以下、本発明の実施例に係る電源接続回路を備えたＤＶＤドライブ装置について、図面を用いて説明する。
【００１５】
図１〜４は、ＤＶＤドライブ装置１の回路ブロックで、図中の符号２で示したものは、スピンドルモータ３、フィードモータ４および光ピックアップ５のアクチュエータを駆動するドライバＩＣ６を有し、１２Ｖの電源により駆動される１２Ｖ回路ブロック（高電圧回路ブロック）である。
【００１６】
７は、５Ｖの電源により駆動される５Ｖ回路ブロック（低電圧回路ブロック）で、それは光ピックアップ５の光学系信号を制御するＲＦアンプ８と、３．３Ｖおよび１．５Ｖの電圧を生成してこれをＤＳＰ（Digital Signal Processor）９およびメモリＩＣ１０へ供給するレギュレータ１１とを含む。ＬＥＤ１２は、ＤＶＤへのアクセス中に点灯しそれ以外の場合には消灯するよう上記ＤＳＰ９により制御される。
【００１７】
図５中、符号１３は１２Ｖ入力端子（高電圧電源入力端子）１４と５Ｖ入力端子（低電圧電源入力端子）１５（図１〜４）とを備えた電源コネクタ差込口で、本ＤＶＤドライブ装置１は電源コネクタの差込みにより１２Ｖおよび５Ｖの２系統の電源供給を受けて動作するようになっている。
【００１８】
上記１２Ｖ入力端子１４び５Ｖ入力端子１５は、本発明電源接続回路１６を介して上記１２Ｖ回路ブロック２および５Ｖ回路ブロック７に接続されている。
【００１９】
その電源接続回路１６は、高電圧電源供給ライン１７と、低電圧電源供給ライン１８と、第１〜第４のスイッチング素子たるパワーＭＯＳＦＥＴ１９〜２２と、第１〜第４の分圧回路２３〜２６とを備えたものである。
【００２０】
上記高電圧電源供給ライン１７は、上記１２Ｖ入力端子１４と１２Ｖ回路ブロック２とを接続しており、また、上記低電圧電源供給ライン１８は、上記５Ｖ入力端子１５と５Ｖ回路ブロック７とを、第１パワーＭＯＳＦＥＴ１９を介して接続してある。
【００２１】
上記第１分圧回路２３は、上記高電圧電源供給ライン１７に１２Ｖの電源電圧が加えられたときにこれを５Ｖに降圧するもので、その出力は、第２パワーＭＯＳＦＥＴ２０を介して上記５Ｖ回路ブロック７に接続されている。
上記第２パワーＭＯＳＦＥＴ２０は、上記低電圧電源入力端子１５を通じて上記低電圧電源供給ライン１８に加えられた電源電圧に応じた制御信号、すなわちその電源電圧を第２分圧回路２４により降圧して生成された制御信号によりスイッチングされ、上記第１分圧回路２３の出力の上記５Ｖ回路ブロック７への供給を断続する。
【００２２】
上記第３分圧回路２５は、上記高電圧電源入力端子１４を通じて上記高電圧電源供給ライン１７に供給される電源電圧を降圧して、該電源電圧に応じて上記第１パワーＭＯＳＦＥＴ１９および第３パワーＭＯＳＦＥＴ２１を制御する制御信号を生成する分圧回路である。
【００２３】
上記第１パワーＭＯＳＦＥＴ１９は第３分圧回路２５からの上記制御信号によりスイッチングされ、５Ｖ入力端子１５から上記５Ｖ回路ブロック７への電源供給を断続する。
上記第３パワーＭＯＳＦＥＴ２１も、第３分圧回路２５からの上記制御信号によりスイッチングされるもので、低電圧電源供給ライン１８に供給される電源電圧の上記１２Ｖ回路ブロック２および５Ｖ回路ブロック７への供給を断続する。
【００２４】
第４パワーＭＯＳＦＥＴ２２は、第４分圧回路２６において上記低電圧電源入力端子１５を通じて上記低電圧電源供給ライン１８に加えられた電源電圧を降圧して生成された制御信号によりスイッチング動作をするもので、そのスイッチングにより上記高電圧電源供給ライン１７に加えられた電源電圧の上記５Ｖ回路ブロック７への供給を断続する。
【００２５】
上記構成からなる電源接続回路１６は、上記電源入力端子１４，１５のいずれか一方への電源供給が断たれたときに、他方からの電源供給により上記２つの回路ブロック２，７に電源供給し、また、上記２系統の電源入力端子１４，１５にそれぞれ供給されるべき電源電圧が、入れ替わって供給されたときに、高電圧側の１２Ｖを遮断し、低電圧側の５Ｖを上記両回路ブロック２，７に供給する電源供給経路切替手段とを構成しているもので、具体的には、以下のように、１２Ｖ入力端子１４と５Ｖ入力端子１５から入力される電源電圧を監視するとともにその電源経路の切替えおよび電圧制御の動作を行う。
【００２６】
（１）通常使用時（１２Ｖ入力端子１４に１２Ｖが供給され５Ｖ入力端子１５に５Ｖが供給される場合）（図１）
電源接続回路１６において、第２，３，４のパワーＭＯＳＦＥＴ２０，２１，２２は機能せず、第３分圧回路２５で生成されるＨｉレベルの制御信号がパワーＭＯＳＦＥＴ１９のゲート端子（制御端子）に入力されるので、該第１パワーＭＯＳＦＥＴ１９がＯＮとなる。
したがって、５Ｖ入力端子１５に供給された５Ｖの電源電圧は該第１パワーＭＯＳＦＥＴ１９をスルーして５Ｖ回路ブロック７に供給される。
一方、１２Ｖ入力端子１４から供給される１２Ｖの電源電圧は高電圧電源供給ライン１７を介して１２Ｖ回路ブロック２に供給されるので、本ＤＶＤディスクドライブ１は通常動作をする。
【００２７】
（２）ケーブルの接触不良等による１２Ｖ電源の遮断時（図２）
電源接続回路１６において、第１，２，４のパワーＭＯＳＦＥＴ１９，２０，２２は機能せず、第３分圧回路２５で生成されるＬｏｗレベルの制御信号が第３パワーＭＯＳＦＥＴ２１のゲート端子に入力されるので、該第３パワーＭＯＳＦＥＴ２１がＯＮとなる。
したがって、５Ｖ入力端子１５から供給される５Ｖの電源電圧は第３パワーＭＯＳＦＥＴ２１を介して上記１２Ｖ回路ブロック２および５Ｖ回路ブロック７に供給される。
このとき、本来１２Ｖ入力を標準として動作する１２Ｖ回路ブロック２を５Ｖ入力で動作させるため、スピンドルモータ３，フィードモータ４は最高速度での回転はできないが、リード／ライトの一連の動作が可能である。
【００２８】
（３）ケーブルの接触不良等による５Ｖ電源の遮断時（図３）
電源接続回路１６において、第３，第４のパワーＭＯＳＦＥＴ２１および２２は機能せず、第２分圧回路２４で生成されるＬｏｗレベルの制御信号が第２パワーＭＯＳＦＥＴ２０のゲート端子に入力され、該第２パワーＭＯＳＦＥＴ２０がＯＮとなる。
したがって、１２Ｖ入力端子１４から供給される１２Ｖの電源電圧は第１分圧回路２３で５Ｖに降圧され、該第２パワーＭＯＳＦＥＴ２０を介して５Ｖ回路ブロック７に供給される。
一方、１２Ｖ回路ブロック２へは、１２Ｖ入力端子１４からの電源電圧が高電圧電源供給ライン１７を通じてそのまま供給される。
このとき、１２Ｖ回路ブロック２および５Ｖ回路ブロック７のいずれにも電源が供給されているが、１２Ｖ入力端子１４に接続される電源のみの電流容量でＤＶＤドライブ１を駆動させることになる。よって、電流が頭打ちになり最高速度での動作にはならないが、リード／ライトの一連の動作が可能である。
【００２９】
上記のように、電源コネクタ接触不良や電源ケーブル断線時においても、そのコネクタやケーブルを交換することなくＤＶＤドライブ装置１の使用を継続できる。
【００３０】
（４）電源コネクタの逆差込時（１２Ｖ入力端子１４に５Ｖが供給され５Ｖ入力端子１５に１２Ｖが供給される場合）（図４）
電源接続回路１６において、１２Ｖ入力端子１４に５Ｖ以下の電源が供給された場合、第３分圧回路２５においてＬｏｗレベルの制御信号が生成され、第１パワーＭＯＳＦＥＴ１９はＯＦＦとなり、５Ｖ入力端子１５に供給される１２Ｖの電源電圧は、該第１パワーＭＯＳＦＥＴ１９で遮断される。したがって、ヒューズによる遮断をすることなく、５Ｖ回路ブロック７の破損を防ぐことができる。
一方、１２Ｖ回路ブロック２には、１２Ｖ入力端子１４からの５Ｖがスルーして供給される。
また、第４分圧回路２６で生成されるＨｉレベルの制御信号が第４パワーＭＯＳＦＥＴ２２のゲート端子に入力され、該第４パワーＭＯＳＦＥＴ２２がＯＮとなるので、１２Ｖ入力端子１４から供給される５Ｖの電源電圧は該第４パワーＭＯＳＦＥＴ２２を介して５Ｖ回路ブロック７にも供給される。
【００３１】
したがって、ユーザーが誤って電源コネクタを逆向きで差し込んでしまった場合においても、ＤＶＤドライブ装置１の破損に至らずリード／ライトに一連の動作を行える。
【００３２】
上記の１２Ｖまたは５Ｖのいずれかの電源遮断時あるいは電源コネクタの逆差込時（上記（２）〜（４）の場合）、ＤＶＤドライブ装置１の動作は、一方の電源の電流容量に依存するので制限され、フルスペックで６．６−１６倍速のＤＶＤドライブの場合２−５倍速程度で動作することとなる。
【００３３】
また、本発明電源接続回路は、上記実施例に挙げたＤＶＤドライブ装置だけでなく、ＣＤドライブ、フレキシブルディスクドライブ、ハードディスクドライブ等のディスクドライブ装置にも適用することができる。
通常１０−４８倍速のＣＤドライブについては、一方の電源遮断時あるいは電源コネクタの逆差込時には、４−１０倍速程度のドライブとして動作する。
【００３４】
なお、上記においてスイッチング素子として使用されているパワーＭＯＳＦＥＴに代えトランジスタ、アナログマルチプレクサ等の素子を用いてもよい。さらに、本実施例では５Ｖと１２Ｖの電源を使用するディスクドライブ装置を例に説明したが、本発明は、５Ｖ／１２Ｖ以外の高低２系統の電圧の電源を使用する装置にも適用できる。
【図面の簡単な説明】
【００３５】
【図１】本発明の実施例に係る電源接続回路を備えた光ディスクドライブ装置の回路ブロック図で、１２Ｖ入力端子に１２Ｖの電圧が供給され、５Ｖ入力端子に５Ｖの電圧が供給された場合の動作を示す。
【図２】上記電源接続回路の１２Ｖ入力端子に電圧が供給されず、５Ｖ入力端子に５Ｖの電圧が供給された場合の動作を示す回路ブロック図である。
【図３】上記電源接続回路の１２Ｖ入力端子に１２Ｖの電圧が供給され、５Ｖ入力端子に電圧が供給されない場合の動作を示す回路ブロック図である。
【図４】上記電源接続回路の１２Ｖ入力端子に５Ｖの電圧が供給され、５Ｖ入力端子に１２Ｖの電圧が供給された場合の動作を示す回路ブロック図である。
【図５】上記電源接続回路を備えた光ディスクドライブ装置の背面図である。
【符号の説明】
【００３６】
１   ＤＶＤドライブ装置（ディスクドライブ装置）
２   １２Ｖ回路ブロック（高電圧回路ブロック）
３   スピンドルモータ
４   フィードモータ
５   光ピックアップ
６   ドライバＩＣ
７   ５Ｖ回路ブロック（低電圧回路ブロック）
８   ＲＦアンプ
９   ＤＳＰ
１０   メモリＩＣ
１１   レギュレータ
１２   ＬＥＤ
１３   電源コネクタ差込口
１４   １２Ｖ入力端子（高電圧電源入力端子）
１５   ５Ｖ入力端子（低電圧電源入力端子）
１６   電源接続回路
１７   高電圧電源供給ライン
１８   低電圧電源供給ライン
１９〜２２   パワーＭＯＳＦＥＴ（スイッチング素子）
２３〜２６   分圧回路
【図１】
2007234197.tif 000003
【図２】
2007234197.tif 000004
【図３】
2007234197.tif 000005
【図４】
2007234197.tif 000006
【図５】
2007234197.tif 000007